(57)【要約】【目的】苔を軽量パネル化して立体配置を可能にする。【構成】金網からなる表メッシュ２と裏メッシュ３により苔４を表裏から挟んで別体の別体固定部材５により固定一体化して苔パネル１を構成する。表メッシュ２及び裏メッシュ３は線径や開口面積を所定のものにすることにより、苔４が脱落しないように固定でき、かつ通水性及び通気性を確保し、苔４の生長を阻害しない。したがって、苔パネル１は土又はその代用物を不要として軽量化でき、立体配置しても当初の形状を保持する。また、任意数の苔パネル１を連続させることにより面積変化も自由にできる。【選択図】図１
2004305007.tif 000002
【特許請求の範囲】
【請求項１】
苔をシート状にして立体配置するための苔パネルにおいて、一群の苔の上下を表メッシュと裏メッシュからなる一対の網により挟んでシート状に固定したことを特徴とする苔パネル。
【請求項２】
上記表メッシュと裏メッシュを別体の連結部材で相互に連結して一体化したことを特徴とする請求項１の苔パネル
【請求項３】
上記表メッシュと裏メッシュを、相互の係合により連結一体化したことを特徴とする請求項１の苔パネル。
【請求項４】
一方の網の周囲に端部を内側へ折り曲げた折り曲げ部とし、これに他方の網の周囲を係合させたことを特徴とする請求項１の苔パネル。
【請求項５】
重ね合わせた前記表メッシュと裏メッシュの周囲を他の縁取り部材を用いて端末処理したことを特徴とする請求項１の苔パネル。
【請求項６】
前記表メッシュと裏メッシュが互いに別体として分離されたものか、又は連続する一枚のものを中間部にて折り曲げたものであることを特徴とする請求項１の苔パネル。
【発明の詳細な説明】
【０００１】
【発明の属する技術分野】
この発明は、苔を立体的に配置できるようにした苔パネルに関する。なお、本願において苔の上下とは、苔の葉側を上とし、仮根側を下とする。また苔を空間内の上下方向へ並べた配置を立体配置という。
【０００２】
【従来の技術】
苔を芝生のように用いて縁化することは公知である。また、苔を比較的剛性のある板状部材に植え付けて立体的に配置することも知られている。また、一般的な植物の立体配置としては、下記特許文献等がある。
【０００３】
【特許文献１】特開平８−１３４９４１号公報
【特許文献２】特開平４−７０１２６号公報
【特許文献３】特開２００２−１８６３５０号公報
【特許文献４】特開２０００−４３９６７号公報
【０００４】
【発明が解決しようとする課題】
上記のように苔を比較的剛性のある板状部材に植え付けて立体配置しようとすれば、苔を固定するため土又はその代用となる固定部材を用いることになるが、このようなものは、比較的重量があり、そのうえ苔へ給水することによりさらに重くなる。しかも、このようなものを例えば壁状に立体配置しようとすれば、強固な支持構造を必要とする。したがって、苔等の植物一般において立体配置をする場合には軽量であることがまず望まれる。
【０００５】
また、不織布等の繊維シート上に苔を固定することにより比較的軽量のシート状をなすものもあるが、苔と繊維シートとの結合が弱いため、これを用いて立体配置すれば、苔が身体等との接触や振動などによりぼろぼろを脱落しやすく、かつ苔自体の重量により、次第に下方へ垂れ下がって中間部や下部がたるんで飛び出す等の不規則な見苦しい形状になる。したがって、立体配置しても当初形状を維持できることが望まれる。
【０００６】
さらに、苔の生長を阻害せず、かつ生長したときは苔の支持部材が苔によって覆われて見えにくくなる用にすることも望まれる。また手で持つときにエッジ部分などが接触することのないように取り扱いやすい端末処理を施されていることも望まれる。本願はこのような要請の実現を目的とする。
【０００７】
【課題を解決するための手段】
上記課題を解決するため本願の苔パネルに係る請求項１の発明は、苔をシート状にして立体配置するための苔パネルにおいて、一群の苔の上下を表メッシュと裏メッシュからなる一対の網により挟んでシート状に固定したことを特徴とする。
【０００８】
請求項２の発明は上記請求項１において、上記表メッシュと裏メッシュを別体の連結部材で相互に連結して一体化したことを特徴とする。
【０００９】
請求項３の発明は上記請求項１において、上記表メッシュと裏メッシュを、相互の係合により連結一体化したことを特徴とする。
【００１０】
請求項４の発明は上記請求項１において、一方の網の周囲に端部を内側へ折り曲げた折り曲げ部とし、これに他方の網の周囲を係合させたことを特徴とする。
【００１１】
請求項５の発明は上記請求項１において、重ね合わせた前記表メッシュと裏メッシュの周囲を他の縁取り部材を用いて端末処理したことを特徴とする。
【００１２】
請求項６の発明は上記請求項１において、前記表メッシュと裏メッシュが互いに別体として分離されたものか、又は連続する一枚のものを中間部にて折り曲げたものであることを特徴とする。
【００１３】
【発明の効果】
請求項１によれば、苔を表メッシュと裏メッシュからなる一対の網で挟んで固定することにより苔パネルとしたので、苔には一般植物における栄養分吸収用の根に相当するものが存在しないという特徴より、土もしくはその代用を用いずに裏メッシュで固定できる。したがって、軽量であり、かつ網構造のため、通気性と通水性を確保し、生長を阻害しない。
【００１４】
しかも表メッシュと裏メッシュで挟むことにより、苔の脱落を防止でき、かつ給水等により重量が増加しても、網自体の剛性により垂れ下がる等の形状変化を防止し、当初形状を維持できる。そのうえ、苔が生長すると、表メッシュの上を覆って表メッシュを見えにくくするので、ディスプレイ等の外観を重視する用途への使用に好適となる。
【００１５】
この苔パネルを空間内に立てて使用すれば、苔を簡単に立体配置できる。また、苔パネルのサイズを規格化しておき、これを空間内の上下方向へ任意数連結すれば、壁状等の大型の立体配置が容易にできる。しかも軽量であるから支持も容易である。
【００１６】
請求項２によれば、表メッシュと裏メッシュを別体の連結部材により相互に連結して容易に一体化できる。
【００１７】
請求項３によれば、表メッシュと裏メッシュを相互に係合したので簡単に結合して一体化できる。
【００１８】
請求項４によれば、一方の網の周囲に端部を内側へ折り曲げた折り曲げ部を形成し、これに他方の網の周囲を係合させて一体化したので、折り曲げ部が外側の端末処理となり、苔パネルの周囲を持ちやすくする。
【００１９】
請求項５によれば、表メッシュと裏メッシュの重ね合わせた周囲を別体の縁取り部材により端末処理したので、苔パネルの周囲を容易に端末処理して持ちやすくすることができ、取り扱い容易になる。
【００２０】
請求項６によれば、表メッシュと裏メッシュを別体に形成して２枚合わせにして苔を挟むことができる。また、連続した１枚ものの網の中間部を折り曲げて苔を挟むこともできる。このとき、表メッシュと裏メッシュが別体であれば、苔を折らずに挟めるので挟む作業が容易になる。また、一体であれば、部品点数を削減できる。
【００２１】
【発明の実施の形態】
以下、図面に基づいて実施例を説明する。図１〜３は第１実施例であり、図１は、苔パネルの斜視図、図２は分解斜視図、図３は金網の拡大図である。
【００２２】
図１に示すように、この苔パネル１は、表メッシュ２と裏メッシュ３で苔４を表裏から挟み、ボルト、ナット等の別体の固定部材５により、例えば４隅と中央部の計５カ所を連結固定して一体化したものである。
この苔パネル１は、例えば、３０ｃｍ四方の寸法を一単位とする規格品であり、これを任意数連続させることにより、自由に面積を増減させることができる。
【００２３】
図２に示すように、この苔パネル１は、略同サイズの表メッシュ２と裏メッシュ３で、シート状の苔４を挟んで、全体がほぼ均一な厚さのパネル状をなすように固定する。したがって、ほぼ苔４の高さ分の厚みを有するシート状のパネルである。
【００２４】
シート状の苔は、不織布等のシート６上に仮止めされ状態で予め所定寸法にカットされてブロック状をなしている場合がある（このような市販品の一例として、有限会社モスキャッチシステム製の商品名モスキャッチがある）。この場合のシート６は取り扱いを容易にするために用いられ、各苔は仮根が軽く絡まることにより仮止めされている。
【００２５】
したがって苔は比較的脱落し易い状態にあり、触ったり振動を与えると苔が脱落することがある。また、シート６を空間の上下方向に配置した立体配置にすると、重力で次第に下方へ弛みを生じ、苔も下方へ密集するようになる。なお、、シート６を備えず苔だけを直接適当数量のブロック状にしてもよい。
【００２６】
苔は、葉と茎及び仮根を有し、ハイ苔やスナ苔等の適宜なものを単独もしくは混合して用いる。なお、苔については、葉側を表又は上とし、仮根側を裏又は下と表現する。仮根は一般植物の栄養吸収根とは異なるものであり、一般には根とされない部分である。本願でも根とはみなさず、苔は一般植物の観点から根がないものとして説明する。
【００２７】
表メッシュ２と裏メッシュ３の間に挟まれた苔は、表側で葉が絡み合い、裏側では仮根や茎が絡み合っているため、これらが表メッシュ２及び裏メッシュ３の網目から部分的に突出し、これらの網目により通気性、通水性を確保できるようになっており、かつ脱落しないようになっている。
【００２８】
図３に示すように、表メッシュ２及び裏メッシュ３を構成する網は、溶接金網であり、アルミニウムやステンレス等の適宜素材からなる縦線７ａと横線７ｂを格子状に交差させ、交差部８で重ねて溶接等で結合したものである。
【００２９】
このような金網構造は、縦線７ａ及び横線７ｂが略波形をなして全体として凹凸形状をなすので、パンチングメタルのような平面状のものと異なり、苔４との絡み合いを多くして脱落を防止できる。なお、必ずしも交差部８を溶接する必要はなく、また、金属製の代わりに樹脂製としてもよい。
【００３０】
この金網は、一例として、線形が０．７〜０．８ｍｍ、隣り合う縦線７ａ，７ａ又は横線７ｂ，７ｂ間の線間距離ｄが６〜７ｍｍ、網目９の開口面積が約５ｍｍ２程度であり、開口度は約４０〜６０％程度にすることが好ましい。このようにすると、苔４を安定して表メッシュ２と裏メッシュ３の間に固定でき、かつ苔４が表メッシュ２及び裏メッシュ３に邪魔されることなく生長して自由に伸びることができる。
【００３１】
なお、縦線７ａ及び横線７ｂが細くて線径が小さいと、苔４を挟むとき切断しやすくなり、太いと開口面積が小さくなり、苔４の生長を阻害しやすくなる。一方、これらのサイズを本実施例のようにすると、このような有利・不利のバランスを絶妙に保つことができる。
【００３２】
また、表メッシュ２及び裏メッシュ３、少なくとも表メッシュ２を緑色に着色すれば、苔４が十分に生長しない段階で表メッシュ２や裏メッシュ３が外部から見やすくなっている段階でもあまり金網を目立たなくすることができる。このような着色方法は任意であるが、例えばディッピング塗装が量産性に富むものである。
【００３３】
図４及び５は端末処理の構造例である。なお、以下の実施例では表メッシュ及び裏メッシュは縦線と横線を波形に編まず、単に重ね合わせた構造とする。図４に示すように、表メッシュ２及び裏メッシュ３は、それぞれ端末部１０，１１のうち、一方側を略Ｊ字状に折り曲げた折り曲げ部１２とし、他方側は中央の平板状の延長として単純に切り放し状部１３とする。
【００３４】
表メッシュ２と裏メッシュ３は、図示の同一断面方向において対称形状であり、向かい合わせに折り曲げ部１２と切り放し状部１３を対向させた状態で、かつ図の左右へずらした状態にする。この状態で表メッシュ２と裏メッシュ３の間に苔４を挟み、表メッシュ２と裏メッシュ３を相対的にずらせて折り曲げ部１２と切り放し状部１３を接近させる。
【００３５】
これにより、図５のＡに示すように切り放し状部１３が折り曲げ部１２の内側部分へ接近し、やがて図５のＢに示すように、切り放し状部１３が折り曲げ部１２と係合することにより表メッシュ２と裏メッシュ３が係合一体化する。このようにすると、特別に別体の結合部材を用いずに結合でき、かつ折り曲げ部１２によって鋭角部が手に接触しないので、手で容易に持つことができる。
【００３６】
なお、図示の断面方向と直交する方向の断面も同様構造にすれば、同一平面にて表メッシュ２と裏メッシュ３を直交する２方向へずらすことにより、周囲をすべて折り曲げ部１２により端末処理できる。
しかも、別体の端末処理部材を使用しなくても済み、部品点数を削減できる。
【００３７】
図６，７は上記の端末処理の変形例としての第３実施例であり、表メッシュ２は単純な平板状とし、端末部１０は切り放し状部１３になっている。一方、裏メッシュ３は周囲を苔４の高さ分だけ表側へ折り曲げ、さらにその先端を内側へ折り返して略逆Ｊ字状の折り曲げ部１２としている。
【００３８】
図７のＡに示すように、この端末部１１内へ苔４を入れ、その上から表メッシュ２を被せると、図７のＢに示すように、表メッシュ２が折り曲げ部１２を弾性変形しながら裏メッシュ３の折り曲げ部１２内側へ入り、切り放し状部１３が折り曲げ部１２の内側部分と係合して表メッシュ２と裏メッシュ３が結合一体化する。
【００３９】
このようにすると、単に表メッシュ２と裏メッシュ３へ押し込むだけで表メッシュ２と裏メッシュ３を結合でき、かつ苔パネル１の周囲を折り曲げ部１２で処理できるから、さらに組立が容易・迅速になる。また、表メッシュ２と裏メッシュ３で挟むときに苔を折りにくくなる。
【００４０】
図８〜１１は別体のモールを用いた端末処理例を示す。図８に示す第４実施例は、表メッシュ２と裏メッシュ３の周囲をなす端末部１０，１１を周方向（裏側）へ平行に折り曲げて重ね、各先端を樹脂製の縁取り部材であるモール１４へ突き刺すことにより端末処理してある。このようにすると、苔パネル１を手で持つとき、金網の端末部１０，１１の鋭角部が手に接触しないので扱いやすくなる。
【００４１】
また、モール１４へ端末部１０，１１を突き刺すことにより処理できるので、量産性に優れている。但し、モール１４はこのような例だけでなく、例えばＵ字型モールとして、これで端末部１０，１１を上から挟み込むようにしてもよい。さらにはディッピング等によっても直接端末部１０，１１の上へ一体に形成してもよい。
【００４２】
図９に示す第５実施例は、端末部１０を苔４の高さ分だけ裏側へ折り曲げて、さらにその先端を水平に外方へ折り曲げて、端末部１１と重ね、側方よりモール１４を取り付けて縁取りしたものである。この場合、端末部１１側は全体として平板状の裏メッシュ３の周囲をなし、特に折り曲げ等の処理を施していない部分である。
【００４３】
図１０に示す第６実施例は、端末部１０を苔４の高さ分だけ裏側へ折り曲げて、その先端をモール１４へ前方から差し込むとともに、端末部１１は特別に折り曲げ等の処理をせずそのまま側方から折り曲げ部１２へ差し込んだものである。このようにすると、端末部１０，端末部１１を最も単純形状に形成できる。
【００４４】
図１１に示す第７実施例は、端末部１０を裏側へ曲げて表側からモール１４へ差し込み、端末部１１を表側へ曲げて裏側からモール１４へ差し込んだものである。このようにすると、表裏を対称構造にできるから、表メッシュ２と裏メッシュ３を共通化することも可能になる。
【００４５】
図１２に示す第８実施例は、は表メッシュ２と裏メッシュ３を連続した１枚状のものとして構成した例であり、表メッシュ２と裏メッシュ３が連続した長尺の金網１５の中間部１６を折り曲げ、表メッシュ２と裏メッシュ３を重ね合わせ、間に苔４を挟むとともに、各先端の端末部１０，端末部１１を重ね合わせて、適当なモール１７等で連結するとともに端末処理する。このようにすれば、表メッシュ２と裏メッシュ３を一体化できるので、部品点数を削減できる。
【図面の簡単な説明】
【図１】第１実施例に係る苔パネルの斜視図
【図２】その分解斜視図
【図３】金網の拡大図
【図４】第２実施例に係る端末処理の構造例を示す図
【図５】その端末処理方法を示す図
【図６】第３実施例に係る端末処理の変形例を示す図
【図７】その端末処理方法を示す図
【図８】第４実施例に係る端末処理の構造例を示す図
【図９】第５実施例に係る端末処理の構造例を示す図
【図１０】第６実施例に係る端末処理の構造例を示す図
【図１１】第７実施例に係る端末処理の構造例を示す図
【図１２】第８実施例に係る各メッシュを１枚状にした例を示す図
【符号の説明】
１：苔パネル、２：表メッシュ、３：裏メッシュ、４：苔、５：別体固定部材、７ａ：縦線、７ｂ：横線、８：交差部、９：網目、１０：端末部、１１：端末部、１２：折り曲げ部、１３：切り放し状部、１４：モール、１５：金網、１６：中間部、１７：モール
【図１】
2004305007.tif 000003
【図２】
2004305007.tif 000004
【図３】
2004305007.tif 000005
【図４】
2004305007.tif 000006
【図５】
2004305007.tif 000007
【図６】
2004305007.tif 000008
【図７】
2004305007.tif 000009
【図８】
2004305007.tif 000010
【図９】
2004305007.tif 000011
【図１０】
2004305007.tif 000012
【図１１】
2004305007.tif 000013
【図１２】
2004305007.tif 000014